(57)【要約】      （修正有）【課題】収納体から個別、混合注出を選択可能とした多連式容器を提供。【解決手段】ポンプ機構をそれぞれ有し各ノズルヘッドを繰り返し押圧することによって注出口を通して内容物を注出する少なくとも２本の収納体を備えた多連式容器において、前記各収納体を横並びに配置する収納空間を備えたケースと、このケースの口部に着脱自在に固定保持され各収納体のノズルヘッドのみをそれぞれ突出させる貫通孔を形成した肩カバーとを備えたものにて構成する。そして、前記肩カバーに、各収納体のノズルヘッドを取り囲んで起立する壁部を設け、前記ノズルヘッドに、その外側に覆い被さり前記壁部の内側にてスライド可能に抜け止め保持されるヘッドカバーを設け、前記ヘッドカバーに、ノズルヘッドの頭頂にて各ノズルヘッドに跨ってそれらを同時に押圧可能に当接する押圧片と、各ノズルヘッドの頭頂をそれぞれ個別に押圧可能に露出させる切欠開口を形成する。【選択図】図１
2006264767.tif 000002
【特許請求の範囲】
【請求項１】
ポンプ機構をそれぞれ有し各ノズルヘッドを繰り返し押圧して該ポンプ機構を駆動することによって注出口を通して内容物を注出する少なくとも２本の収納体を備えた多連式容器であって、  
前記各収納体を横並びに配置する収納空間を備えたケースと、このケースの口部に着脱自在に固定保持され各収納体のノズルヘッドのみをそれぞれ突出させる貫通孔を形成した肩カバーとを備え、
前記肩カバーに、各収納体のノズルヘッドを取り囲んで起立する壁部を設け、
前記ノズルヘッドに、その外側に覆い被さり前記壁部の内側にてスライド可能に抜け止め保持されるヘッドカバーを設け、
前記ヘッドカバーは、ノズルヘッドの頭頂にて各ノズルヘッドに跨ってそれらを同時に押圧可能に当接する押圧片と、各ノズルヘッドの頭頂をそれぞれ個別に押圧可能に露出させる切欠開口とを有することを特徴とする多連式容器。
【請求項２】
前記押圧片は、ヘッドカバーの本体部分に揺動可能に連結するヒンジを有する、請求項１記載の多連式容器。
【請求項３】
前記肩カバー又はケースの何れか一方に、側壁の対向位置においてそれぞれ貫通する開口を設け、もう一方に、該開口に係合させてそれらを相互に連結する凸部を有し、その押圧によって係合を解除して切り離しを可能とする弾性支持片を設けた請求項１又は２記載の多連式容器。
【請求項４】
前記ヘッドカバーは、各ノズルヘッドの注出口を外界へ向けて露出させる窓孔を有する請求項１〜３の何れかに記載の多連式容器。
【請求項５】
前記各収納体は、吐出容量の異なるポンプ機構をそれぞれ有する請求項１〜４の何れかに記載の多連式容器。
【発明の詳細な説明】
【技術分野】
【０００１】
本発明は、種類の異なる内容物をそれぞれ充填した収納体を単一のケースに配列して各収納体から内容物を同時に注出、混合して使用する場合や各収納体毎に内容物を個別に注出して使用する場合に適した多連式容器に関するものであり、注出形態の違いに係わりなく内容物を安定して注出しようとするものである。
【背景技術】
【０００２】
種類の異なる内容物をそれぞれ充填した収納体を複数本併設して、各収納体から内容物を同時に注出、混合して使用する、いわゆる多連式の容器は、毛染め液などの反応性の液体を入れた容器として用いられており、近年では、各収納体からの択一的な注出あるいは混合比の微調整、混合注出ができるように、注出形態の変更を可能とした構造のものも提案されている（例えば、特許文献１参照）。
【特許文献１】特開2002-59981号公報
【０００３】
従来の多連式容器は、異種の液体を入れた単体容器を左右に並設してそれらを連結部材にて一体的に結縛した二連の容器体を基本構成とするのが普通であるが、かかる容器は、各単体容器に対する押圧力にばらつきが生じ実際の注出形態が所望の注出形態と異なる場合があること、また、単体容器を連結する連結部材につき、その中央部に配置される脚部が、押下げヘッドの相互間に形成される隙間に挿入して固定しているため、該隙間の大きさによってはガタツキが生じ、これにより連結部材が傾く可能性もあって、所望の注出形態で安定して内容物を注出するにはさらに改善の余地が残されていた。
【発明の開示】
【発明が解決しようとする課題】
【０００４】
本発明の課題は、混合注出、個別注出等、所望の注出形態でもって内容物を安定的に注出できる新規な多連式容器を提案するところにある。
【課題を解決するための手段】
【０００５】
本発明は、ポンプ機構をそれぞれ有し各ノズルヘッドを繰り返し押圧して該ポンプ機構を駆動することによって注出口を通して内容物を注出する少なくとも２本の収納体を備えた多連式容器であって、  
前記各収納体を横並びに配置する収納空間を備えたケースと、このケースの口部に着脱自在に固定保持され各収納体のノズルヘッドのみをそれぞれ突出させる貫通孔を形成した肩カバーとを備え、
前記肩カバーに、各収納体のノズルヘッドを取り囲んで起立する壁部を設け、
前記ノズルヘッドに、その外側において覆い被さり前記壁部の内側にてスライド可能に抜け止め保持されるヘッドカバーを設け、
前記ヘッドカバーは、ノズルヘッドの頭頂において各ノズルヘッドに跨りそれらを同時に押圧する押圧片と、各ノズルヘッドの頭頂をそれぞれ個別に押圧可能に露出させる切欠開口とを有することを特徴とする多連式容器である。
【０００６】
上記の構成になる多連式容器においては前記押圧片を、ヘッドカバーの本体部分にヒンジを介して揺動可能に連結することができる。
【０００７】
また、前記肩カバー又はケースの何れか一方に、側壁の対向位置においてそれぞれ貫通する開口を設け、もう一方に、該開口に係合させてそれらを相互に連結する凸部を有し、その押圧によって係合を解除して切り離しを可能とする弾性支持片を設けることができる。
【０００８】
前記ヘッドカバーには、各ノズルヘッドの注出口を外界へ向けて露出させる窓孔を設けるのが好ましく、さらに、各収納体には、吐出容量の異なるポンプ機構をそれぞれ配置することができる。
【発明の効果】
【０００９】
ノズルヘッドの頭頂に配置した該押圧片を操作することで異なる内容物を充填した収納体から同時に内容物を注出することができ、ヘッドカバーの切欠開口を通して各ノズルヘッドを押圧することで収納体毎に内容物の注出が可能となり、該押圧片はノズルヘッドに覆い被さるヘッドカバーに直接設けられているため、部材相互間でガタツキが生じることもない。
【００１０】
押圧片をヒンジを介してヘッドカバーの本体部分に連結することでノズルヘッドを押圧する際の力を軽減することが可能となる（てこの原理）。
【発明を実施するための最良の形態】
【００１１】
以下、図面を用いて本発明をより具体的に説明する。
図１は本発明にしたがう多連式容器（２連式）の実施の形態を示した外観斜視図であり、図２（ａ）〜（ｃ）はその平面、正面（断面）及び側面（断面）を示した図である。
【００１２】
図において１、２は異なる内容物をそれぞれ充填した吐出量の異なるポンプ機構P1、P2を備えた（例えば１回当たりの吐出量が0.5cc、0.3ccのもの）収納体である（図２、図３参照）。収納体１、２はポンプ機構P1、P2につながるノズルヘッド1a、2aを繰り返し押圧することで収納体１、２内の内容物を注出することができるようになっている。
【００１３】
また、３は収納体１、２を横並びに配置する収納空間Ｋを備えたケース、４はケース３の口部3aに着脱自在に固定保持される肩カバーである。この肩カバー４には各収納体１、２のノズルヘッド１a、2aのみをそれぞれ突出させる貫通孔4a、4bと、その上面縁部には各収納体１、２を取り囲んで起立する壁部4cが設けられている（図２、３参照）。
【００１４】
また、５はノズルヘッド1a、2aの外側に覆い被さり壁部4cの内側にてスライド可能に抜け止め保持されるヘッドカバーである。
【００１５】
このヘッドカバー５には、ノズルヘッド１、２の頭頂にて各ノズルヘッド１、２に跨ってそれらを同時に押圧可能に当接する押圧片5aと、各ノズルヘッド１、２の頭頂をそれぞれ個別に押圧可能に露出させる切欠開口5b、5cと、ノズルヘッドの各注出口1a1、2a1を外界へ向けて露出させる窓孔5dが設けられており、その下端と肩カバー４の上面との間でスライド代Ｌ（ノズルヘッド1a、2aの押圧代）を確保している。
【００１６】
さらに、６は肩カバー４の側壁の対向位置においてそれぞれ貫通する開口、７はケース３に一体的に設けられた弾性支持片である（図１、図２（ｃ）参照）。この弾性支持片７は肩カバー４の内側から開口６に係合させて該肩カバー４とケース３とを相互に連結する凸部7aを有しており、この凸部7aを外側から内側に向かって押圧して凸部7aとの係合を解除することで該肩カバー４とケース３とを切り離す。
【００１７】
収納体１、２に組み込まれたポンプ機構P1、P2は１回当たりの押圧動作でもって注出される内容物の吐出量は異なっていても作動ストロークを同じにしておけば、押圧片5aを押圧することで収納体１、２のノズルヘッド1a、2aは同時に押圧され、異なる内容物の同時注出が行なえる。
【００１８】
一方、切欠開口5b、5cにおいて露出するノズルヘッド1a又は2aを選択的に押圧することでそれに対応した収納体のみから内容物が注出される。
【００１９】
押圧片5a及び切欠開口5b、5cを有するヘッドカバー５は、ノズルヘッド1a、2aに被さるように配置されその側壁5eは肩カバー４の壁部4cの内側に位置していることからノズルヘッド1a、2aの相互間隔が一定に保たれ、内容物の注出動作に伴ってガタツキが生じることがない。
【００２０】
上記の構成になる本発明に基づく多連式容器を用いて内容物を注出するには、まず、ノズルヘッド1a、2aを覆うカバー（図２の２点鎖線参照）を取り外した後、所望の吐出形態が得られる押圧部位（ノズルヘッド1a、2a又は押圧片5aの何れか）を下方へ向けて押圧しスライド代Ｌ分だけ下降させる。この下降に伴いポンプ機構P1、P2が作動し収納体１、２又はその両方から内容物が吸い上げられ選択されたノズルヘッド1a、2aから内容物が注出されることとなる。内容物を各収納体１、２から同時に注出する際、ヘッドカバー５はノズルヘッド1a、2aの頭頂に対し直交する２方向で当接、押圧することになるため、ノズルヘッド1a、2aに安定した押圧力が付加され、確実な押圧が可能となり安定した注出が実現できる。
【００２１】
図３、図４（ａ）〜（ｃ）は、本発明にしたがう多連式容器の他の実施の形態を示したものである。
【００２２】
押圧片5aに収納体１、２に同時接触する凸部5a1を設け、該押圧片5aを、ヘッドカバー５の本体部分にヒンジｈを介して揺動可能に連結することで、てこの原理を利用してノズルヘッド1a、2aを押圧することができ、押圧に係る力の軽減を図ることが可能となる。
【００２３】
このタイプの容器は、ヒンジｈを基点に押圧片5aを引き起こすことによりノズルヘッド1a、2aの頭頂における露出面積の拡大を図ることも可能であり（図３の仮想線参照）、収納体１、２からの個別注出がしやすい利点がある。
【００２４】
本実施形態においても前掲の実施形態同様、凸部7ａを押圧して開口６との係合を解除した状態で肩カバー４とケース３を相互に引き離すことで収納体１、２の交換が可能となる。
【００２５】
本発明にしたがう多連式容器は、２連式のものについて例示したが、収納体を３本以上配列したものにも適用可能で、所望の注出形態でもって、内容物を安定的に注出することができる。
【００２６】
収納体１、２はポンプ機構P1、P2を備えたものに換えて、エアゾールタイプの収納体を使用してもよい。また、ポンプ機構P1、P2は本実施例の如く吐出容量の異なるものとせずに同一吐出容量のポンプ機構を採用することもできる。さらに、収納体１、２は内層が剥離する積層構成の容器が適用できる他、薄肉で減容可能な容器、ボトルあるいはパウチ等の袋状容器を適用することが可能であり、内容物の種類や用途に応じて適宜選択される。
【産業上の利用可能性】
【００２７】
所望の注出形態でもって内容物を安定的に注出できる多連式容器が提供できる。
【図面の簡単な説明】
【００２８】
【図１】本発明にしたがう多連式容器の実施の形態を示した外観斜視図である。
【図２】（ａ）〜（ｃ）は図１の平面、正面（Ａ−Ａ断面）及び側面（Ｂ−Ｂ断面）を示した図である。
【図３】本発明にしたがう多連式容器の他の実施の形態を示した外観斜視図である。
【図４】（ａ）〜（ｃ）は図３の平面、正面（Ｃ−Ｃ断面）及び側面（Ｄ−Ｄ断面）を示した図である。
【符号の説明】
【００２９】
１    収納体
1a    ノズルヘッド
1a1   注出口
２    収納体
2a    ノズルヘッド
2a1   注出口
３    ケース
3a    口部
４    肩カバー
4a    貫通孔
4b    貫通孔
4c    壁部
５    ヘッドカバー
5a    押圧片
5b    切欠開口
5c    切欠開口
5d    窓孔
5e    側壁
６    開口
７    弾性支持片
7a    凸部
P1、P2  ポンプ機構
Ｋ    収納空間
ｈ    ヒンジ
Ｌ    スライド代
【図１】
2006264767.tif 000003
【図２】
2006264767.tif 000004
【図３】
2006264767.tif 000005
【図４】
2006264767.tif 000006